(57)【特許請求の範囲】
【請求項１】
排尿液収容室４を規定する容体部５と、前記排尿液収容室４に連通する容体開口６を規定する開口形成部７とを備えた排尿液収容体１と、
排尿時における排尿液を受け入れる排尿液受入口８と、前記排尿液受入口８に連通する排尿液排出口９を規定する排尿液排出口形成部１０とを備えた排尿受部材２と、
前記排尿受部材２の排尿液排出口形成部１０と前記排尿液収容体１の開口形成部７との間を着脱自在に接続する接続手段３とからなり、
前記排尿受部材２の外部に、使用状態における該排尿受部材２の傾斜角度を検知するための傾斜角度検知手段１６を設けてなり、前記傾斜角度検知手段１６の水平検知時に、前記排尿受部材２の排尿液受入口８が前記排尿受部材２の排尿液排出口９より上部部位にあることを特徴とする緊急用携帯排尿器。
【請求項２】
前記排尿液収容体１が、排尿液収容室４を規定する袋状の容体部５と、前記袋状容体部５に連通する容体開口６を規定する開口形成部７とを備えた袋状収容体１Ａでなり、前記袋状収容体１Ａの開口形成部７側に、前記接続手段３に対応する接続構造部１１を備えたものからなることを特徴とする請求項１に記載の緊急用携帯排尿器。
【請求項３】
前記排尿液収容体１が、袋状収容体１Ａでなり、前記袋状収容体１Ａの開口形成部７側に開口開閉手段１２を設けたものからなることを特徴とする請求項１あるいは請求項２に記載の緊急用携帯排尿器。
【請求項４】
前記開口開閉手段１２が、前記袋状収容体１Ａの開口形成部７の内側に設けた逆止弁機構１３を含むものからなることを特徴とする請求項３に記載の緊急用携帯排尿器。
【請求項５】
前記排尿液収容体１が、排尿液収容室４Ｂを規定する筒状の容体部５Ｂと、前記筒状容体部５Ｂに連通する容体開口６Ｂを規定する開口形成部７Ｂとを備えたペットボトル収容体１Ｂでなり、前記ペットボトル収容体１Ｂの開口形成部７Ｂ側に、前記接続手段３に対応する接続構造部１１Ｂを備えたものからなることを特徴とする請求項１に記載の緊急用携帯排尿器。
【請求項６】
前記排尿受部材２の排尿液受入口８の内側に排尿液が付着しないように、前記排尿液受入口８の内側に沿って装着する筒状の使い捨て装着体１４を備えており、前記使い捨て装着体１４が、折畳み可能な素材からなり、装着時に筒状を維持するものからなることを特徴とする請求項１〜請求項５のいずれかに記載の緊急用携帯排尿器。
【請求項７】
前記排尿受部材２が、基準底面２ｃを有し、前記排尿受部材２の排尿液排出口９が、前記基準底面２ｃから下方部位に下方に向けて形成されていることを特徴とする請求項１〜請求項６のいずれかに記載の緊急用携帯排尿器。
【請求項８】
前記排尿受部材２が、該排尿受部材２のヘッド部２ｄ側にハンドル手段１５を備えたものからなることを特徴とする請求項１〜請求項７のいずれかに記載の緊急用携帯排尿器。
【請求項９】
前記接続手段３が、ワンタッチクリップ３２でなり、前記ワンタッチクリップ３２が、少なくとも２つの異なる形態の排尿液収容体１Ａ、１Ｂを選択的に接続可能になした少なくとも２つのクリップ部分２６、２７を備えたものからなることを特徴とする請求項１〜請求項８のいずれかに記載の緊急用携帯排尿器。
【発明の詳細な説明】
【０００１】
【発明の属する技術分野】
この発明は、緊急用携帯排尿器に関するものであって、特に、運転席に着座する運転手にとって極めて有効に利用することができるよう、着座したままの態勢で使用可能に構成した緊急用携帯排尿器に関するものである。
【０００２】
【従来の技術】
周知のように、自動車利用人口の増加にともない、例えば、観光シーズンにおける行楽地並びにその周辺、あるいは、正月並びにお盆の帰省時等における幹線道路などでは、各種車両が集中してしまい、長時間、長距離にわたって走行渋滞が生じ、何時間も車内に閉じ込められた状態を余儀なくされる場合がある。このような場合、車内において尿意をもよおすことはよくあることで、その苦痛は多大なものである。
【０００３】
【発明が解決しようとする課題】
従来、上記する状況に鑑み、車内において排尿するための携帯用の排尿器が各種開発され、提供されてきている。しかしながら、従来のこの種の緊急用携帯排尿器は、構造的に複雑なものであって、装置自体が大型化してしまうという問題点を有しており、一見して便器という形態のものとして提供されており、車内に常備するには違和感があり、且つ不適当なものであった。さらにまた、従来の緊急用携帯排尿器は、利用時における実情に則しておらず、例えば、運転席に着座する運転手にとって、その着座状態で洩らすことなく確実に排尿することができるような排尿器として構造化されていなかった。
【０００４】
一方、自動車における座席は、後方に向けて下がり傾斜に設計されており、特に、座席に着座したままの状態で排尿すると排尿液が逆流するという問題点があった。
【０００５】
そこで、この発明は、上記する強い要望に対し、これに応答しようとするものであり、緊急用携帯排尿器にあって、特に、運転席に着座する運転手にとって着座したままの姿勢で洩らすことなく確実に排尿することができるようにした緊急用携帯排尿器を提供しようとするものである。
【０００６】
【課題を解決するための手段】
この発明は、上記する目的を達成するにあたって、具体的には、排尿液収容室を規定する容体部と、前記排尿液収容室に連通する容体開口を規定する開口形成部とを備えた排尿液収容体と、
排尿時における排尿液を受け入れる排尿液受入口と、前記排尿液受入口に連通する排尿液排出口を規定する排尿液排出口形成部とを備えた排尿受部材と、
前記排尿受部材の排尿液排出口形成部と前記排尿液収容体の開口形成部との間を着脱自在に接続する接続手段とからなり、
前記排尿受部材の外部に、使用状態における該排尿受部材の傾斜角度を検知するための傾斜角度検知手段を設けてなり、前記傾斜角度検知手段の水平検知時に、前記排尿受部材の排尿液受入口が前記排尿受部材の排尿液排出口より上部部位にあることを特徴とする緊急用携帯排尿器を構成するものである。
【０００７】
さらに、この発明における請求項２に記載の発明は、請求項１に記載の緊急用携帯排尿器であって、排尿液収容体が、排尿液収容室を規定する袋状の容体部と、前記袋状容体部に連通する容体開口を規定する開口形成部とを備えた袋状収容体でなり、前記袋状収容体の開口形成部側に、前記接続手段に対応する接続構造部１１を備えたものからなることを特徴とするものである。
【０００８】
さらにまた、この発明における請求項３に記載の発明は、請求項１あるいは請求項２に記載の緊急用携帯排尿器であって、排尿液収容体が、袋状収容体でなり、前記袋状収容体の開口形成部側に開口開閉手段を設けたものからなることを特徴とするものである。
【０００９】
さらにまた、この発明における請求項４に記載の発明は、請求項３に記載の緊急用携帯排尿器であって、開口開閉手段が、袋状収容体の開口形成部の内側に設けた逆止弁機構を含むものからなることを特徴とするものである。
【００１２】
さらにまた、この発明における請求項５に記載の発明は、請求項１に記載の緊急用携帯排尿器であって、排尿液収容体が、排尿液収容室を規定する筒状の容体部と、前記筒状容体部に連通する容体開口を規定する開口形成部とを備えたペットボトル収容体でなり、前記ペットボトル収容体の開口形成部側に、前記接続手段に対応する接続構造部を備えたものからなることを特徴とするものである。
【００１３】
さらにまた、この発明において請求項６に記載の発明は、請求項１〜請求項５のいずれかに記載の緊急用携帯排尿器であって、排尿受部材の排尿液受入口の内側に排尿液が付着しないように、排尿液受入口の内側に沿って装着する筒状の使い捨て装着体を備えており、前記使い捨て装着体が、折畳み可能な素材からなり、装着時に筒状を維持するものからなることを特徴とするものでもある。
【００１４】
さらにまた、この発明において請求項７に記載の発明は、請求項１〜請求項６のいずれかに記載の緊急用携帯排尿器であって、排尿受部材が、基準底面を有し、前記排尿受部材の排尿液排出口が、前記基準底面から下方部位に下方に向けて形成されていることを特徴とするものである。
【００１５】
さらにまた、この発明において請求項８に記載の発明は、請求項１〜請求項７のいずれかに記載の緊急用携帯排尿器であって、排尿受部材が、該排尿受部材のヘッド部側にハンドル手段を備えたことを特徴とするものである。
【００１７】
さらにまた、この発明において請求項９に記載の発明は、請求項１〜請求項８のいずれかに記載の緊急用携帯排尿器であって、接続手段が、ワンタッチクリップでなり、前記ワンタッチクリップが、少なくとも２つの異なる形態の排尿液収容体を選択的に接続可能になした少なくとも２つのクリップ部分を備えたものからなることを特徴とするものでもある。
【００１９】
【発明の実施の形態】
以下、この発明になる緊急用携帯排尿器について、図面に示す具体的な実施例にもとづいて詳細に説明する。
図１は、この発明になる緊急用携帯排尿器の基本的な構成例を示すもので、排尿液収容体として袋状収容体を適用した構成例を示すものであって、図１Ａは、その全体的な基本構成を示す概略的な斜視図であり、図１Ｂは、要部としての接続手段の一構成例を示す概略的な斜視図である。一方、図２は、当該緊急用携帯排尿器における排尿液収容体の具体的な構成例を示すものであって、図２Ａは、排尿液収容体が袋状収容体により構成されている第１の例を示す概略的な側面図であり、図２Ｂは、その第２の例を示す概略的な側面図であり、図２Ｃは、その第３の例を示す概略的な側面図である。
【００２０】
一方また、図３は、当該緊急用携帯排尿器における排尿受部材の具体的な構成例を示す概略的な側面図であり、図３Ａは、一例になる接続手段の構成例を組み合わせてなる全体の態様を示す概略的な側面図であり、図３Ｂは、接続手段の別の構成例の要部について破断して示す概略的な側面図である。
【００２１】
次いで、図４は、当該緊急用携帯排尿器における排尿液収容体の別の具体的な構成例を示すものであって、当該排尿液収容体がペットボトルである例を示す概略的な側面図である。
【００２２】
さらにまた、図５は、この発明になる緊急用携帯排尿器にあって、接続手段の具体的な構成例を示すものであって、当該接続手段が２つの異なる形態の排尿液収容体を選択的に接続可能になしたワンタッチクリップにより構成される具体的な例を示す概略的な斜視図である。図６は、２つの異なる形態の排尿液収容体を選択的に接続可能になしたワンタッチクリップによる接続例を示すものであり、図６Ａは、袋状収容体の接続状態を示す概略的な側面図、図６Ｂ、ペットボトルの接続状態を示す概略的な側面図である。
【００２３】
一方、図７は、この発明になる緊急用携帯排尿器にあって、２つの異なる形態の排尿液収容体を排尿受部材に対して異なる位置で接続する接続手段の別の具体的な構成例を示すものであって、図７Ａは、その接続手段の取付け状態を示す概略的な平面図であり、図７Ｂは、その概略的な側面図である。図８は、２つの異なる形態の排尿液収容体を選択的に接続可能になした図７に示す接続手段による接続例を示すものであり、図８Ａは、袋状収容体の接続状態を示す概略的な側面図、図８Ｂ、ペットボトルの接続状態を示す概略的な側面図である。
【００２４】
さらに、図９は、この発明になる緊急用携帯排尿器にあって、排尿液収容体が袋状収容体である場合、前記接続手段が引っ掛け構造により構成される具体的な実施例を示すものであって、図９Ａは、フック部材が排尿受部材に対して取り付けられるフック金具部材からなる構成例を示す概略的な斜視図であり、図９Ｂは、フック部材が排尿受部材に形成されるフック状突起からなる構成例を示す概略的な斜視図である。
【００２５】
まず、この発明になる緊急用携帯排尿器の基本的な構成例について、図１に基づいて詳細に説明する。図１に示す緊急用携帯排尿器は、基本的には、排尿液収容体１と、前記排尿液収容体１に対して接続手段３を介して接続される排尿受部材２とからなっている。この発明において、前記排尿液収容体１は、図１および図２に示すように、例えば、使い捨て構造でなるプラスチックフィルム製の袋状収容体１Ａであってもよいし、あるいは、図４に示すように、例えば、ペットボトルのような既存の定形型排尿収容体１Ｂであってもよい。
【００２６】
前記排尿液収容体１は、排尿液を収容する排尿液収容室４を規定する容体部５と、前記排尿液収容室４に連通する容体開口６を規定する開口形成部７とを備えたものからなっている。一方、前記排尿受部材２は、前記排尿液収容体１に対して、前記接続手段３を介して前記排尿液収容体の開口形成部７に着脱自在に接続されるものであって、排尿時における排尿液を受け入れる排尿液受入口８と、前記排尿液受入口８に連通する排尿液排出口９とを備え、前記排尿液排出口９を規定する排尿液排出口形成部１０に前記排尿液収容体１の開口形成部７を前記接続手段３を介して着脱自在に接続するように構成してある。
【００２７】
図２に示す前記排尿液収容体１は、排尿液収容室４を規定する袋状の容体部５と、前記袋状容体部５に連通する容体開口６を規定する開口形成部７とを備えた袋状収容体１Ａによって構成されている。前記袋状収容体１Ａにおける開口形成部７側に、前記接続手段３に対応する接続構造部１１が設けてある。
【００２８】
この発明になる緊急用携帯排尿器にあって、前記排尿液収容体１に対しては、その排尿液収容室４内に収容される排尿液を固めるための吸水パットＳＰを設けておくことができる。この吸水パットＳＰは、燃えるゴミとして破棄可能なものであって、既存の製品を適用すればよい。
【００２９】
前記排尿液収容体１における接続構造部１１は、前記排尿受部材２に対する接続時に、簡単に抜けないように開口形成部７における付け根部分７ａを若干細径に成形しておくことが好ましい。前記排尿液収容体１における開口形成部７は、図２Ａに示すように偏平時における両縁部７ｂを溶着成形して補強しておき、且つ、開口縁７ｃに沿っても溶着縁として成形して補強しておくとよい。
【００３０】
図２に示す実施例のもののように、前記排尿液収容体１が袋状収容体１Ａにより構成例のものにあっては、前記袋状収容体１Ａにおける開口形成部７側に開口開閉手段１２が設けられている。前記開口開閉手段１２は、前記袋状収容体１Ａにおける開口形成部７の内側に設けた逆止弁機構１３によって構成されるものであってもよい。前記逆止弁機構１３とは、前記排尿液収容体１内に一旦収容された排尿液が逆流しないように構成したものであって、前記袋状収容体１Ａにおける容体開口６から排尿液収容体１内にに向けてのびる偏平化する筒状のフィルム体によって構成されている既存の専用ビニールパックであればよい。
【００３１】
前記開口開閉手段１２は、図２Ｂに示すように、前記排尿液収容体１における開口形成部７の外周囲に設けた帯状の開口閉止部材３８であってもよい。前記開閉手段１２として簡易的には、ファスナーチャックによって構成されているものであってもよい。
【００３２】
一方、この発明になる緊急用携帯排尿器において、前記排尿液収容体１は、排尿液収容室４Ｂを規定する筒状の容体部５Ｂと、前記筒状容体部５Ｂに連通する容体開口６Ｂを規定する開口形成部７Ｂとを備えたペットボトル収容体１Ｂでなるものであってもよい。前記ペットボトル収容体１Ｂにおける開口形成部７Ｂ側に、前記接続手段３に対応する接続構造部１１Ｂが設けてある。
【００３３】
前記ペットボトル収容体１Ｂにおける接続構造部１１Ｂは、前記排尿受部材２に対する接続時に、簡単に抜けないように開口形成部７Ｂにおける付け根部分の外周囲に形成されている比較的大きな外径の周状フランジＣＦを係止部とする構成のものからなっている。
【００３４】
一方、これに対して、前記緊急用携帯排尿器を構成する構成要素の一方の主要部である排尿受部材２は、前記排尿液収容体１における容体開口６を規定する開口形成部７に対し接続手段３を介して着脱自在に接続されるようになっている。前述するように、前記排尿受部材２は、前記排尿液収容体１に対して、前記接続手段３を介して前記排尿液収容体１の開口形成部７に着脱自在に接続されるものであって、その一端側２ａに、排尿時における排尿液を受け入れる排尿液受入口８が設けてあり、他端側２ｂに、前記排尿液受入口８に連通する排尿液排出口９が設けてあって、前記排尿液排出口９を規定する排尿液排出口形成部１０に前記排尿液収容体１の開口形成部７を前記接続手段３を介して着脱自在に接続するように構成してある。
【００３５】
さらに、前記排尿受部材２は、該排尿受部材２における排尿液受入口８の内側に沿って装着される使い捨て装着体１４を含むものからなっている。この発明において、前記排尿受部材２が適当な期間にわたって繰り返して使用することができるものであるのに対し、前記使い捨て装着体１４は、一回の使用毎に取り換えるようにした所謂使い捨ての構成部材である。この使い捨て装着体１４は、前記排尿受部材２における排尿液受入口８の開口縁８ａに被さるフランジ状部分１４ａを備えた概して筒状部材によって構成されるものであり、材料としては、折畳みが可能な素材、例えば、プラスチックフィルム素材のもの、あるいは、紙製のもののいずれであってもよい。前記排尿受部材２における排尿液受入口８には、キャップＣａが被せられるようになっている。
【００３６】
さらに、前記排尿受部材２は、基準底面２ｃを有しており、前記排尿受部材２における排尿液排出口９を規定する排尿液排出口形成部１０が前記基準底面２ｃに対して傾斜形成されていて、前記排尿液排出口９が、前記基準底面２ｃから下方部位に、下方に向けて開口するように形成されている。
【００３７】
好ましい実施例において、前記排尿受部材２には、そのヘッド部２ｄ側に対してハンドル手段１５が設けてある。このハンドル手段１５は、前記排尿受部材２における排尿液排出口９が下向きになるように設計されているものであり、例えば、図３に示すように、前記排尿受部材２に対して一体的に成形された把っ手の形態のものからなっている。
【００３８】
さらにまた、この発明においては、前記排尿受部材２に対して傾斜角度検知手段１６を設けておくことができる。この傾斜角度検知手段１６は、前記排尿受部材２における外面部に設けた水準器機構によって構成される。前記傾斜角度検知手段１６は、ボール体１７を封入した中空部材１８と、この中空部材１８をホールドするホルダー部材１９とを含むものからなっている。
【００３９】
このような構成になる傾斜角度検知手段１６において、例えば、前記中空部材１８を透明ないしは半透明の素材により構成し、内部に収容するボール体１７を着色処理するか、あるいは、蛍光塗料を塗布しておくかによって、車内が明るい場合にも、車内が暗い場合にも、視覚によりボール体１７の位置を確認して傾斜度を判断することができるようになっている。
【００４０】
より好ましくは、前記傾斜角度検知手段１６にあって、前記ホルダー部材１９の前端側１９ａを着色処理するか、あるいは、蛍光塗料を塗布しておくかによって、ボール体１７が前記ホルダー部材１９の前端側１９ａに位置する状況を視覚により検知することによって、前記排尿受部材２における一端２ａ側が前方下がりの状況を容易に監視でき、排尿液の流れ方向を、前記排尿受部材２における排尿液受入口８側から排尿液排出口９側に向けて確実に維持することができるようになっている。
【００４１】
さらに、この発明にあっては、前記排尿受部材２における排尿液受入口８側の下面側２ｅが段差状に形成されていて、前記排尿受部材２が水平状態ないしは水平状態から前下り状態にある状況において、前記排尿液受入口８側からの排尿の流れが、逆流しないように設計されている。
【００４２】
さらにまた、前記傾斜角度検知手段１６は、より好ましい実施例によれば、ボール体１７を導電性材料によって構成し、前記中空部材１８の内部に電池を配置しておき、前記ボール体１７が電池の一極に接した場合に電源回路を閉成して、例えば、ランプあるいはブザーなどの光あるいは音声発生手段を作動して、視覚的あるいは聴覚的な警報を発するように構成しておくこともできる。
【００４３】
この発明において、前記傾斜角度検知手段１６は、該傾斜角度検知手段１６の水平検知時に、前記排尿受部材２における排尿液受入口８が前記排尿受部材２における排尿液排出口９の上部部位にあるように設計されている。このように設計しておくことにより、排尿の逆流が生じないようになっている。
【００４４】
一方、この発明になる緊急用携帯排尿器において、前記排尿液収容体１と前記排尿受部材２とは、前記排尿液収容体１における容器開口６を規定する開口形成部７と、前記排尿受部材２における排尿液排出口９を規定する排尿液排出口形成部１０との間を接続手段３によって着脱自在に接続することができるようになっている。
【００４５】
前記接続手段３の好ましい例を図１、図５、図７および図９に示す。図１に示す好ましい例において、前記接続手段３は、ワンタッチクリップ２０によって構成されている。前記ワンタッチクリップ２０は、弾発性を有するバネ部材からなっており、一対の脚部２１、２１と、アーチ状の係止作用部２２とを備えたものからなっており、前記一対の脚部２１、２１の各端部に設けてある軸受ループ部２３、２３が、前記排尿受部材２における排尿液排出口９を規定する排尿液排出口形成部１０の外部に設けてある一対の軸部２４、２４に対して弾発的に軸支されている。
【００４６】
前記接続手段３が、上記するようなワンタッチクリップ２０によって構成されているものでは、前記排尿受部材２における排尿液排出口９を規定する排尿液排出口形成部１０に対し、その外周囲に少なくとも一つの周条溝２５が設けられていて、前記周条溝２５に前記ワンタッチクリップ２０におけるアーチ状の係止作用部２２が弾発的にスナッピング係合することによって、前記排尿受部材２に対して前記排尿液収容体１を確実に支持し、且つ確実に接続することができるようになっている。
【００４７】
前記接続手段３が、前記ワンタッチクリップ２０によって形成されるものにあって、より好ましい構成例を、図５に示す。この例になる接続手段３としてのワンタッチクリップ２０は、少なくとも２つの異なる形態の排尿液収容体１Ａ、１Ｂを選択的に接続可能になしたものであって、アーチ状の係止作用部２２が、第１の径Ｄ１でなる第１のクリップ部分２６と、第２の径Ｄ２でなる第２のクリップ部分２７とを備えたものからなっている。
【００４８】
図５に示すように２種類の異なる形態の排尿液収容体１Ａ、１Ｂを選択的に接続可能になしたワンタッチクリップ２２によれば、図６に示すようにして、例えば、図６Ａにあっては、前記排尿受部材２における排尿液排出口９を規定する排尿液排出口形成部１０に対し、前記袋状収容体１Ａにおける容体開口６を規定する開口形成部７を外側から被せるようにして装着し、しかる後、ワンタッチクリップ２２をロック方向に回動させ、第１の径Ｄ１でなる第１のクリップ部分２６を、前記開口形成部７を挟み込むようにして、該第１のクリップ部分２６を前記排尿受部材２における排尿液排出口９を規定する排尿液排出口形成部１０の外周囲に設けてある周条溝２５に嵌め合わせて、確実な接続を保ち得るように構成してある。
【００４９】
一方、図６Ｂにあっては、前記排尿受部材２における排尿液排出口９を規定する排尿液排出口形成部１０に対し、前記ペットボトル様の収容体１Ｂにおける容体開口６Ｂを規定する開口形成部７Ｂを外側から被せるようにして装着し、しかる後、ワンタッチクリップ２２をロック方向に回動させ、第２の径Ｄ２でなる第２のクリップ部分２７を、前記開口形成部７Ｂを挟み込むようにして、該開口形成部７Ｂにおける付け根部分の外周囲に形成されている比較的大きな外径の周状フランジＣＦに係止して接続するように構成されているものである。
【００５０】
前記接続手段３が、前記ワンタッチクリップ２０によって形成されるものにあって、また別の好ましい構成例を、図７に示す。この例になる接続手段３としてのワンタッチクリップ３２は、少なくとも２つの異なる形態の排尿液収容体１Ａおよび１Ｂを選択的に接続可能になしたものであって、アーチ状の係止作用部２２が、距離Ｌを隔てて設けた第１のクリップ部分３６と、第２のクリップ部分３７とを備えたものからなっている。
【００５１】
図７に示すように２種類の異なる形態の排尿液収容体１Ａ、１Ｂを選択的に接続可能になしたワンタッチクリップ３２によれば、図８に示すようにして、例えば、図８Ａにあっては、前記排尿受部材２における排尿液排出口９を規定する排尿液排出口形成部１０に対し、前記袋状収容体１Ａにおける容体開口６を規定する開口形成部７を外側から被せるようにして装着し、しかる後、ワンタッチクリップ３２をロック方向に回動させ、第１のクリップ部分３６を、前記開口形成部７を挟み込むようにして、該第１のクリップ部分３６を前記排尿受部材２における排尿液排出口９を規定する排尿液排出口形成部１０の外周囲に設けてある周条溝２５に嵌め合わせて、確実な接続を保ち得るように構成してある。
【００５２】
一方、図８Ｂにあっては、前記排尿受部材２における排尿液排出口９を規定する排尿液排出口形成部１０に対し、前記ペットボトル様の収容体１Ｂにおける容体開口６Ｂを規定する開口形成部７Ｂを外側から被せるようにして装着し、しかる後、ワンタッチクリップ３２をロック方向に回動させ、第２のクリップ部分３７を、前記開口形成部７Ｂを挟み込むようにして、該開口形成部７Ｂにおける付け根部分の外周囲に形成されている比較的大きな外径の周状フランジＣＦに係止して接続するように構成してある。
【００５３】
さらにまた、別の構成例になる接続手段３を図９に示す。この実施例は、前記排尿液収容体１が、袋状収容体１Ａである場合に適用されるものであって、前記接続手段３が、前記排尿受部材２における排尿液排出口形成部１０の外部に設けたフック体４０と、前記袋状収容体１Ａの開口形成部７の近傍に設けた引っ掛け孔４１とからなり、引っ掛けによって前記袋状収容体１Ａを前記排尿受部材２に接続するようにしたものである。
【００５４】
上記する構成になる接続手段３は、図９Ａに示すように、フック部材が排尿受部材に対して取り付けられるフック金具部材４４からなる構成例のものであってもよいし、あるいは、図９Ｂに示すように、フック部材が排尿受部材に形成されるフック状突起４５からなる構成例のものであってもよい。
【００５５】
さらに、前記接続手段６は、図３Ｂに示すもののように、前記排尿液収容体１における容体開口６の内面側に設けた少なくとも一対の凸ピン４２、４２と、前記排尿受部材２における開口形成部７の周壁部分に設けた少なくとも一対の溝４３、４３の組み合せによって構成したものであってもよい。この場合、前記少なくとも一対の溝４３は、前記開口形成部７の端縁に向けて開放され、軸方向にのびる第１の溝部４３ａと、前記第１の溝部４３ａの終端部側から周方向にのびる第２の溝部４３ｂとを含むものからなっている。より好ましくは、前記溝４３は、前記第１の溝部４３ａ並びに前記第２の溝部４３ｂに加えて、前記第２の溝部４３ｂの終端部から軸方向下方に向けてのびる第３の溝部４３ｃを含むものであってもよい。
【００５６】
この発明において、前記排尿受部材２は、前記傾斜角度検知手段１６に関連して、前記傾斜角度検知手段１６によって当該排尿受部材２が水平であることが検知確認された状態において、前記排尿受部材２における排尿液受入口８が、前記排尿受部材２における排尿排出口９よりも上部部位にあるので、排尿の逆流を防止することができるように設計されている。このように排尿の逆流を防止するように設計するということは、自動車における座席は、後方に向けて下がり傾斜に設計されており、特に、運転手などが座席に着座したままの状態で当該携帯用排尿器を使用する場合には、前記排尿受部材２が排尿液受入口８側に向けて下向きに傾斜し、排尿液が逆流することがあるが、この逆流を確実に防止しようとするものである。
【００５７】
なお、前記排尿受部材２の横断面形状は、特に制限されるものではなく、例えば、楕円形状横断面、円形状横断面、矩形状横断面あるいは多角形状横断面のいずれであってもよい。
【００５８】
次いで、この発明になる緊急用携帯排尿器について、これを女性用のものとして適用する場合には、前記排尿受部材２における排尿受口８側に、適当なアタッチメント部材（女性用のものとして比較的大きな上向き開口を形成する女性用排尿受口部材）を着脱自在に取り付けることによって、当該緊急用携帯排尿器を変更なく利用することができる。
【００５９】
前記女性用排尿受口部材は、例えば、再使用可能な外側成形体と、前記外側成形体の内壁に沿って装着される使い捨て装着体とを組み合わせて構成し、使用後には、使い捨て装着体を取り外して、新たな装着体を外側成形体内にセットして利用するように構成してある。
【００６０】
【発明の効果】
以上の構成になるこの発明の緊急用携帯排尿器は、構造が極めて簡単なものであり、製造が容易であって、多量生産に適合する点において、生産の低コスト化を図り得るものであって、経済的に極めて有利に作用するものといえる。
【００６１】
さらに、この発明になる緊急用携帯排尿器は、後方に向けて下がり傾斜に設計されている自動車の座席構造に関して、特に、運転席に着座する運転手にとって着座したままの姿勢で洩らすことなく確実に排尿することができ、しかも、排尿液の回収廃棄も簡単に行うことができる点などにおいて、極めて有効に作用するものといえる。
【００６２】
さらにまた、この発明になる緊急用携帯排尿器は、再使用可能な部材及び使い捨て部材とによって構成したことにより、自動車の車内に常時装備しておいたとしても、多くの場所をとらず、且つ車内を衛生的に保てるものであり、その点においても極めて有効に作用するものといえる。
【図面の簡単な説明】
【図１】図１は、この発明になる緊急用携帯排尿器の基本的な構成例を示すもので、排尿液収容体として袋状収容体を適用した構成例を示すものであって、図１Ａは、その全体的な基本構成を示す概略的な斜視図であり、図１Ｂは、要部としての接続手段の一構成例を示す概略的な斜視図である。概略的な斜視図である。
【図２】図２は、当該緊急用携帯排尿器における排尿液収容体の具体的な構成例を示すものであって、図２Ａは、排尿液収容体が袋状収容体により構成されている第１の例を示す概略的な側面図であり、図２Ｂは、その第２の例を示す概略的な側面図であり、図２Ｃは、その第３の例を示す概略的な側面図である。
【図３】図３は、当該緊急用携帯排尿器における排尿受部材の具体的な構成例を示す概略的な側面図であり、図３Ａは、一例になる接続手段の構成例を組み合わせてなる全体の態様を示す概略的な側面図であり、図３Ｂは、接続手段の別の構成例を要部について破断して示す概略的な側面図である。
【図４】図４は、当該緊急用携帯排尿器における排尿液収容体の別の具体的な構成例を示すものであって、当該排尿液収容体がペットボトルである例を示す概略的な側面図である。
【図５】図５は、この発明になる緊急用携帯排尿器にあって、接続手段の具体的な構成例を示すものであって、当該接続手段が２つの異なる形態の排尿液収容体を選択的に接続可能になしたワンタッチクリップにより構成される具体的な例を示す概略的な斜視図である。
【図６】図６は、２つの異なる形態の排尿液収容体を選択的に接続可能になしたワンタッチクリップによる接続例を示すものであり、図６Ａは、袋状収容体の接続状態を示す概略的な側面図、図６Ｂ、ペットボトルの接続状態を示す概略的な側面図である。
【図７】図７は、この発明になる緊急用携帯排尿器にあって、２つの異なる形態の排尿液収容体を排尿受部材に対して異なる位置で接続する接続手段の別の具体的な構成例を示すものであって、図７Ａは、その接続手段の取付け状態を示す概略的な平面図であり、図７Ｂは、その概略的な側面図である。
【図８】図８は、２つの異なる形態の排尿液収容体を選択的に接続可能になした図７に示す接続手段による接続例を示すものであり、図８Ａは、袋状収容体の接続状態を示す概略的な側面図、図８Ｂ、ペットボトルの接続状態を示す概略的な側面図である。
【図９】図９は、この発明になる緊急用携帯排尿器にあって、排尿液収容体が袋状収容体である場合、接続手段が引っ掛けにより構成される例を示すものであって、図９Ａは、フック部材が排尿受部材に対して取り付けられる金具部材からなる構成例を示す概略的な斜視図であり、図９Ｂは、フック部材が排尿受部材に形成されるフック状突起からなる構成例を示す概略的な斜視図である。
【符合の説明】
１  排尿液収容体
１Ａ  袋状収容体
１Ｂ  ペットボトル様収容体
２  排尿受部材
２ａ  排尿受部材の一端
２ｂ  排尿受部材の他端
２ｃ  排尿受部材の基準底面
２ｄ  排尿受部材のヘッド部
２ｅ  排尿受部材の下面段差
３  接続手段
４、４Ｂ  排尿液収容室
５、５Ｂ  容体部
６、６Ｂ  容体開口
７、７Ｂ  開口形成部
８  排尿液受入口
９  排尿液排出口
１０  排尿液排出口形成部
１１、１１Ｂ  接続構造部
１２  開口開閉手段
１３  逆止弁機構
１４  使い捨て装着体
Ｃａ  排尿液受入口キャップ
１５  ハンドル手段
１６  傾斜角度検知手段
１７  ボール体
１８  中空部材
１９  ホルダー部材
２０  ワンタッチクリップ
２１、２１  一対の脚部
２２  アーチ状の係止作用部
２３、２３  軸受ループ部
２４、２４  一対の軸部
２５  周条溝
２６  第１のクリップ部分
２７  第２のクリップ部分
Ｄ１  第１のクリップ部分の径
Ｄ２  第２のクリップ部分の径
３２  ワンタッチクリップ
３６  距離Ｌを隔てて設けた第１のクリップ部分
３７  距離Ｌを隔てて設けた第２のクリップ部分
３８  帯状の開口閉止部材
４０  フック体
４１  引っ掛け孔
４４  フック金具部材
４５  フック状突起
ＣＦ  ペットボトルの周状フランジ
【図１】
0003826715.tif 000002
【図２】
0003826715.tif 000003
【図３】
0003826715.tif 000004
【図４】
0003826715.tif 000005
【図５】
0003826715.tif 000006
【図６】
0003826715.tif 000007
【図７】
0003826715.tif 000008
【図８】
0003826715.tif 000009
【図９】
0003826715.tif 000010